(57)【特許請求の範囲】
【請求項１】
被検出体の位置を検出する静電容量式センサの機能と、
光入射側から投射された映像光を光出射側へ透過させる透過型スクリーンの機能と、
を有する入力装置であって、
透光性の曲面を有するフィルムと、前記フィルムに設けられた電極層と、を有する静電センサ部と、
前記静電センサ部の前記光出射側に設けられ、前記静電センサ部を透過し結像した前記映像光を拡散させる光拡散層と、
を備え、
前記光拡散層は、前記電極層が設けられた前記フィルムの表面とは反対側の前記フィルムの表面に設けられ、
前記フィルムの光出射側の表面に前記光拡散層が形成され、前記フィルムの光入射側の表面に前記電極層が形成されたことを特徴とする入力装置。
【請求項２】
前記光拡散層は、
透光性を有する粘着樹脂と、
前記粘着樹脂の内部に分散して設けられ、前記粘着樹脂の屈折率とは異なる屈折率を有する光拡散材と、
を有することを特徴とする請求項１に記載の入力装置。
【請求項３】
前記静電センサ部の前記光入射側に設けられ、前記光入射側から投射された前記映像光の進行方向を偏向させるフレネルレンズシート部をさらに備えたことを特徴とする請求項１または請求項２に記載の入力装置。
【請求項４】
前記フレネルレンズシート部と前記静電センサ部との間に設けられ、前記フレネルレンズシート部を透過した前記映像光のうちの一部を透過させ、前記フレネルレンズシート部を透過した前記映像光のうちの他の一部を吸収する光制御シート部をさらに備えたことを特徴とする請求項３記載の入力装置。
【発明の詳細な説明】
【技術分野】
【０００１】
本発明は、入力装置に関し、特に２次元や３次元の曲面を有するフィルムが設けられた入力装置に関する。
【背景技術】
【０００２】
各種情報処理装置では、カラー液晶パネル等の表示パネルの前方に透光性の入力装置が配置されている。この入力装置はタッチパネルと称される。タッチパネルでは電極間に静電容量が形成され、人の指が接近したときの電荷の移動の変化から指の接近位置の座標を判定している。この電荷の移動の変化を検出するには、静電容量式センサが用いられる。
【０００３】
タッチパネルは、表示パネルから放出された光のほとんど全てを透過させる構造を有する。そのため、タッチパネルの操作面は、表示パネルの形状に制約を受け、平面であることが多い。
これに対して、近年では、２次元や３次元の曲面に表示を行う表示装置も登場しており、タッチパネルにおいてもこのような表示曲面に対応した形状で搭載されることが必要になる。
【０００４】
特許文献１には、入光側から投射された映像光を出光側に透過させる透過型スクリーンであって、三次元曲面をなすように曲がった積層板を備える透過型スクリーンが開示されている。また、特許文献１には、その透過型スクリーンと、映像光源と、を備える表示装置が開示されている。このような表示装置は、例えば背面投射型表示装置などと呼ばれる。
【０００５】
背面投射型表示装置は、液晶パネルとは異なり、映像光源から投射された映像光を透過型スクリーンで結像させる。そして、観察者は、透過型スクリーンに結像された映像を観る。そのため、一般的に、透過型スクリーンは、透過光を等方的に拡散させる光拡散層を有する。
【０００６】
また、特許文献１に記載された表示装置は、透過型スクリーンに赤外光を投射する赤外光源と、赤外光の入射を検出する検出手段と、を備え、被検出体によって反射された赤外光を検出することによって、透過型スクリーンへの被検出体の接触または接近を検出する機能を有している。つまり、特許文献１に記載された透過型スクリーンは、被検出体の接触または接近を検出する機能（タッチパネル機能）と、映像光源から投射された映像光を結像させ透過させる機能（透過型スクリーン機能）と、を有する。
【先行技術文献】
【特許文献】
【０００７】
【特許文献１】特開２０１２−３２５１３号公報
【発明の概要】
【発明が解決しようとする課題】
【０００８】
しかし、特許文献１に記載された検出手段は、光拡散層を有する積層板を介して被検出体によって反射された赤外光を検出する。そのため、特許文献１に記載された透過型スクリーンは、例えば、或る程度の距離（数ミリメートル（ｍｍ）〜数センチメートル（ｃｍ）以上）のホバリング（近接）検知などのような静電容量式センサのメリットを有していない。
【０００９】
さらに、特許文献１に記載されたような三次元曲面を有する透過型スクリーンにおいて、静電容量式センサを用いると、透明導電パターンの視認性が問題となることがある。すなわち、静電容量式センサは、例えば、複数の電極層を有し、複数の電極層の間の静電容量の変化を検出することで接触位置を検出する。その電極層に形成された透明導電パターンが、透過型スクリーンを通して見えることがある。
【００１０】
本発明は、上記従来の課題を解決するためのものであり、静電容量式センサの機能および透過型スクリーンの機能を有し、曲面を有するフィルムが設けられた入力装置において、透明導電パターンの視認性の問題を抑えることができる入力装置を提供することを目的とする。
【課題を解決するための手段】
【００１１】
本発明の入力装置は、被検出体の位置を検出する静電容量式センサの機能と、光入射側から投射された映像光を光出射側へ透過させる透過型スクリーンの機能と、を有する入力装置であって、透光性の曲面を有するフィルムと、前記フィルムに設けられた電極層と、を有する静電センサ部と、前記静電センサ部の前記光出射側に設けられ、前記静電センサ部を透過し結像した前記映像光を拡散させる光拡散層と、を備えたことを特徴とする。
【００１２】
本発明の入力装置によれば、曲面を有するフィルムと電極層とを有する静電センサ部と、光拡散層と、を備えるため、静電容量式センサの機能と、透過型スクリーンの機能と、を有し曲面が形成された入力装置を実現することができる。
【００１３】
また、光拡散層は、静電センサ部の光出射側に設けられている。言い換えれば、光拡散層は、光出射側（観察者側）からみて、静電センサ部よりも手前側に設けられている。そのため、光出射側から静電センサ部の電極層に形成された透明導電パターンを視認することはできない。
【００１４】
すなわち、光入射側から投射された映像光は、静電センサ部を透過するときには、まだ結像していない。光入射側から投射された映像光は、静電センサ部の光出射側に設けられた光拡散層で結像する。そのため、結像した映像光ではなく結像する前の映像光が静電センサ部を透過する。そして、静電センサ部の光出射側に設けられた光拡散層で結像した映像光は、水平方向および垂直方向に拡散される。
【００１５】
これにより、静電センサ部の透明導電パターンの視認性の問題を抑えることができる。そのため、透明導電パターンの厚さや幅の制限を緩和することができ、静電センサ部の電極層のより一層の低抵抗化を図ることができ、本発明の入力装置は、より一層の大画面に対応することができる。
【００１６】
本発明の入力装置において、前記光拡散層は、前記電極層が設けられた前記フィルムの表面とは反対側の前記フィルムの表面に設けられていてもよい。これによれば、精度が高く、薄くて均一な厚さの光拡散層をより容易に形成することができる。すなわち、静電センサ部のフィルムの表面は、比較的平滑であり、凹凸をほとんど有していない。そのような比較的平滑なフィルムの表面に光拡散層を形成することで、層形成の精度を高めることができる。また、このように、光拡散層および電極層がフィルムを介して互いに近接すると、電極層が光拡散層の光出射側に設けられた場合には、電極層が入力装置の光出射側から見えてしまう。これに対して、本発明の入力装置では、光拡散層および電極層がフィルムを介して互いに近接していても、電極層が光拡散層の光入射側に設けられているため、電極層が入力装置の光出射側から見えることを抑えることができる。
【００１７】
光拡散層は、静電センサ部のフィルムの表面の略全面にわたって設けられていてもよい。これによれば、光拡散層が静電センサ部の光出射側に設けられていない場合と比較して、静電センサ部の透明導電パターンの視認性の問題をより一層低減することができる。
【００１８】
本発明の入力装置において、前記光拡散層は、透光性を有する粘着樹脂と、前記粘着樹脂の内部に分散して設けられ、前記粘着樹脂の屈折率とは異なる屈折率を有する光拡散材と、を有していてもよい。これによれば、光拡散層は、粘着樹脂の屈折率と光拡散材の屈折率との間の差に起因して、あるいは光拡散材が有する反射性に起因して、光拡散層において結像した映像光を水平方向および垂直方向に拡散させることができる。
【００１９】
本発明の入力装置において、前記静電センサ部の前記光入射側に設けられ、前記光入射側から投射された前記映像光の進行方向を偏向させるフレネルレンズシート部をさらに備えていてもよい。これによれば、フレネルレンズシート部が映像光の進行方向を偏向させ、発散光束を平行光束に変換するため、透過型スクリーンとしての光学特性を向上させることができる。
【００２０】
本発明の入力装置において、前記フレネルレンズシート部と前記静電センサ部との間に設けられ、前記フレネルレンズシート部を透過した前記映像光のうちの一部を透過させ、前記フレネルレンズシート部を透過した前記映像光のうちの他の一部を吸収する光制御シート部をさらに備えていてもよい。これによれば、光制御シート部は、映像光を所定の透過率で光入射側から光出射側へ透過させ、不要な光（不要拡散光）を吸収する。そのため、透過型スクリーンとしての光学特性を向上させることができる。
【発明の効果】
【００２１】
本発明によれば、静電容量式センサの機能および透過型スクリーンの機能を有し、曲面を有するフィルムが設けられた入力装置において、透明導電パターンの視認性の問題を抑えることができる入力装置を提供することが可能になる。
【図面の簡単な説明】
【００２２】
【図１】本実施形態に係る入力装置を例示する模式斜視図である。
【図２】本実施形態に係る入力装置の各部材を映像光の進行方向に分解して表した模式分解図である。
【図３】本実施形態の具体例に係る入力装置を例示する模式平面図である。
【発明を実施するための形態】
【００２３】
以下、本発明の実施形態を図面に基づいて説明する。なお、以下の説明では、同一の部材には同一の符号を付し、一度説明した部材については適宜その説明を省略する。
図１は、本実施形態に係る入力装置を例示する模式斜視図である。
図２は、本実施形態に係る入力装置の各部材を映像光の進行方向に分解して表した模式分解図である。
【００２４】
なお、説明の便宜上、図２に表したフレネルレンズシート部１０の外形は、図１に表した入力装置１において反映されていない。また、入力装置１の各層および各部材の厚さ（映像光の進行方向Ａ１の長さ）の比率は、図１に表した入力装置１と図２に表した入力装置１との間において必ずしも一致していない。
【００２５】
本実施形態に係る入力装置１は、静電容量式センサの機能と、透過型スクリーンの機能と、を有する。すなわち、図１および図２に表した矢印Ａ１のように、図示しない光源から投射された映像光は、入力装置１に向かって進行し、入力装置１において結像し、入力装置１を透過する。観察者は、入力装置１において結像した映像を観る。このように、本実施形態に係る入力装置１は、透過型スクリーンの機能を有する。
【００２６】
また、入力装置１は、入力装置１に接触または接近した指などの被検出体と、透明電極と、の間に生ずる静電容量の変化に基づいて被検出体の位置を検出する（自己容量検出型）。あるいは、入力装置１は、第１の電極に駆動電極を印加し、第２の電極と指などの被検出体との間の静電容量の変化に基づいて被検出体の位置を検出する（相互容量検出型）。入力装置１は、自己容量検出型の静電容量式センサの機能を有していてもよいし、相互容量検出型の静電容量式センサの機能を有していてもよい。
【００２７】
具体的に説明すると、本実施形態に係る入力装置１は、フレネルレンズシート部１０と、光制御シート部２０と、静電センサ部３０と、光拡散層４０と、透明パネル部５０と、を備える。フレネルレンズシート部１０と、光制御シート部２０と、静電センサ部３０と、光拡散層４０と、透明パネル部５０と、は、光入射側（光源側）から光出射側（観察者側）へ向かって順次配列されている。
【００２８】
すなわち、図２に表したように、光制御シート部２０は、フレネルレンズシート部１０の光出射側に設けられている。静電センサ部３０は、光制御シート部２０の光出射側に設けられている。光拡散層４０は、静電センサ部３０の光出射側に設けられている。透明パネル部５０は、光拡散層４０の光出射側に設けられている。
【００２９】
ここで、本願明細書において、「光入射側」とは映像光を投射する光源の側をいい、「光出射側」とは映像を観る観察者の側をいう。
【００３０】
フレネルレンズシート部１０は、複数の単レンズを有し、光源から発散光束として入力装置１に投射される映像光の進行方向を偏向させる機能を有する。具体的には、フレネルレンズシート部１０は、発散光束としてフレネルレンズシート部１０に入射した映像光を、光入射側から光出射側へ向かって進行する平行光束の映像光に変換する。フレネルレンズシート部１０には、例えば紫外線硬化樹脂などが用いられる。
【００３１】
光制御シート部２０は、フレネルレンズシート部１０の光出射側に設けられている。光制御シート部２０は、例えばレンチキュラーレンズやマイクロレンズアレイなどと同等の機能を有する単位光透過部と、外光（不要拡散光）吸収部と、を有する。光制御シート部２０は、フレネルレンズシート部１０により平行光束に変換された映像光を所定の透過率で光入射側から光出射側へ透過させ、不要な光（不要拡散光）を吸収する。つまり、光制御シート部２０は、フレネルレンズシート部１０を透過した映像光のうちの一部の光を単位光透過部により透過させ、フレネルレンズシート部１０を透過した映像光のうちの他の一部の光（不要拡散光）を外光（不要拡散光）吸収部により吸収する。光制御シート部２０には、例えば紫外線硬化樹脂などが用いられる。
【００３２】
静電センサ部３０は、光制御シート部２０の光出射側に設けられ、フィルム（図３に例示したフィルム３１を参照）と、電極層（図３に例示した電極層３３を参照）と、を有する。フィルムは、透光性を有し、ポリエチレンテレフタレート（ＰＥＴ）等のフィルム状の透明基材である。
本願明細書において「透明」および「透光性」とは、可視光線透過率が５０％以上（好ましくは８０％以上）の状態を指す。更に、ヘイズ値が６％以下であることが好適である。本願明細書において「遮光」および「遮光性」とは、可視光線透過率が５０％未満（好ましくは２０％未満）の状態を指す。
【００３３】
図２に表したように、フィルムは、曲面である第１面３０ａを有する。第１面３０ａは、例えば凸型の３次元曲面になっている。本実施形態では、縦横いずれの方向においても第１面３０ａ側が凸型になるような３次元曲面になっている。
【００３４】
フィルムの第１面３０ａとは反対側には第２面３０ｂが位置している。フィルムは一様な厚さになっているため、第２面３０ｂも第１面３０ａと同様な３次元曲面になっている。なお、第１面３０ａおよび第２面３０ｂは２次元曲面や凹型など、他の形状であってもよい。ここで、本実施形態では、第１面３０ａの曲面に対する法線方向を厚さ方向や積層方向ということにする。
【００３５】
電極層は、フィルムの第１面３０ａおよびフィルムの第２面３０ｂの少なくともいずれかに設けられている。電極層には、透明導電性材料により形成された電極のパターン（透明導電パターン）が形成されている。電極層は透光性を有し、タッチセンサにおける検出電極の一つである。電極層には、ＩＴＯ（Indium Tin Oxide）、透光性の有機導電層、金属ナノワイヤなどが用いられる。
【００３６】
静電センサ部３０は、静電容量式センサの機能を有する。すなわち、本実施形態に係る入力装置１では、透明パネル部５０の操作面５０ａ上に指を接触させると、指と指に近い電極との間で静電容量が生じる。入力装置１は、このときの静電容量変化に基づいて、指の接触位置を算出する（自己容量検出型）。
【００３７】
あるいは、静電センサ部３０は、相互容量検出型であってもよい。すなわち、静電センサ部３０は、複数の電極を有する。そして、静電センサ部３０は、複数の電極のうちの第１の電極に駆動電圧を印加し、複数の電極のうちの第２の電極と指との間の静電容量の変化を検知してもよい（相互容量検出型）。
【００３８】
光拡散層４０は、静電センサ部３０の光出射側に設けられている。具体的には、光拡散層４０は、静電センサ部３０のフィルムの表面（電極層が設けられた表面とは反対側の表面）に設けられている。そのため、精度が高く、薄くて均一な厚さの光拡散層４０をより容易に形成することができる。すなわち、前述したように、静電センサ部３０のフィルムは、ポリエチレンテレフタレート（ＰＥＴ）等のフィルム状の透明基材である。そのため、静電センサ部３０のフィルムの表面は、比較的平滑であり、凹凸をほとんど有していない。そのような比較的平滑なフィルムの表面に光拡散層４０を形成することで、層形成の精度を高めることができる。
【００３９】
また、静電センサ部３０の電極層が光拡散層４０の光出射側に設けられた場合には、静電センサ部３０の電極層が透明パネル部５０の光出射側から見えてしまう。これに対して、本実施形態に係る入力装置１では、光拡散層４０と、静電センサ部３０の電極層と、が静電センサ部３０のフィルムを介して互いに近接していても、静電センサ部３０の電極層が光拡散層４０の光入射側に設けられているため、静電センサ部３０の電極層が透明パネル部５０の光出射側から見えることを抑えることができる。
【００４０】
なお、透明パネル部５０を除いた各層および各部材の形成方法は、塗布、蒸着、転写および貼合などのいかなる形成方法であってもよい。透明パネル部５０の形成方法については、後述する。
【００４１】
光拡散層４０は、透光性を有する粘着樹脂と、光拡散材と、を有する。粘着樹脂の屈折率は、光拡散材の屈折率とは異なる。光拡散層４０は、粘着樹脂の内部において光拡散材が分散した構造を有する。静電センサ部３０を透過した映像光は、光拡散層４０において結像し、水平方向および垂直方向に拡散する。すなわち、光拡散層４０は、粘着樹脂の屈折率と光拡散材の屈折率との間の差に起因して、あるいは光拡散材が有する反射性に起因して、光拡散層４０において結像した映像光を水平方向および垂直方向に拡散させる。
【００４２】
光拡散層４０の粘着樹脂には、例えば、メチルメタクリレート−ブタジエン−スチレン共重合体（ＭＢＳ）、アクリル樹脂、ポリカーボネート樹脂などが用いられる。
光拡散層４０の光拡散材には、例えば、プラスチックビーズなどの有機フィラーが用いられる。プラスチックビーズの材料として、例えば、メラミン樹脂、アクリル樹脂、スチレン−（メタ）アクリル酸系共重合体、ポリカーボネート、ポリエチレン、ポリスチレン、ポリ塩化ビニルなどが挙げられる。
【００４３】
透明パネル部５０は、光拡散層４０の光出射側に設けられ、操作面５０ａを有する。例えば、光拡散層４０に結像した映像を観る観察者は、指などの操作体により操作面５０ａの上において操作を行うことができる。透明パネル部５０は、透光性を有し、溶融状態のポリカーボネートやアクリル樹脂などの合成樹脂を含む材料を型に注入する射出成形法により形成される。
【００４４】
ここで、本実施形態に係る入力装置１の製造方法について説明する。
まず、フレネルレンズシート部１０と、光制御シート部２０と、静電センサ部３０と、光拡散層４０と、を光入射側から光出射側へ向かって順次配列し、互いに接合する。前述したように、各層および各部材の形成方法は、塗布、蒸着、転写および貼合などのいかなる形成方法であってもよい。
【００４５】
なお、静電センサ部３０の電極層は、フォトリソグラフィおよびエッチングやスクリーン印刷によって形成される。例えば、フォトリソグラフィおよびエッチングで形成する場合、例えばＩＴＯ層をスパッタによって静電センサ部３０のフィルムの表面上に形成し、その上にレジストを形成する。レジストを露光および現像してパターニングした後、ＩＴＯ層をエッチングする。その後、レジストを剥離する。これにより、フィルムの第１面３０ａおよびフィルムの第２面３０ｂの少なくともいずれかにパターニングされたＩＴＯ層からなる電極層が形成される。このようにして、静電センサ部３０が形成される。
【００４６】
続いて、フレネルレンズシート部１０と、光制御シート部２０と、静電センサ部３０と、光拡散層４０と、が接合された部材（接合部材）を射出成形の型内に挿入し、透光性を有する合成樹脂を含む材料を型内に流し込み、透明パネル部５０を形成する。このときに、２次元や３次元の曲面を有する入力装置１が製造される。すなわち、インモールドラミネーション（ＩＭＬ）によって、フレネルレンズシート部１０と、光制御シート部２０と、静電センサ部３０と、光拡散層４０と、透明パネル部５０と、の積層体であって、２次元や３次元の曲面を有する積層体が形成される。
【００４７】
なお、フレネルレンズシート部１０と、光制御シート部２０と、静電センサ部３０と、光拡散層４０と、の接合部材を射出成形の型内に挿入する前工程として、その接合部材を所定の温度に加熱してプレフォーミングを行ってもよい。つまり、透明パネル部５０を形成する前工程として、接合部材に対してプレフォーミングを行い、その接合部材を２次元や３次元の曲面を有する形状に形成しておいてもよい。
【００４８】
接合部材に対してプレフォーミングを行っておくと、ＩＭＬにより接合部材の内部に発生する残留応力を緩和することができ、接合部材と透明パネル部５０との界面においてより高い密着力を得ることができる。
【００４９】
本実施形態に係る入力装置１によれば、電極層を有する静電センサ部３０と、光拡散層４０と、が互いに一体化されているため、静電容量式センサの機能と、透過型スクリーンの機能と、を有する入力装置１を実現することができる。
【００５０】
また、図２に表したように、光拡散層４０は、静電センサ部３０の光出射側に設けられている。言い換えれば、光拡散層４０は、光出射側（例えば透明パネル部５０の操作面５０ａ）からみて、静電センサ部３０よりも手前側に設けられている。そのため、光出射側（観察者側）から静電センサ部３０の透明導電パターンを視認することはできない。
【００５１】
すなわち、光源から投射された映像光は、静電センサ部３０を透過するときには、まだ結像していない。光源から投射された映像光は、静電センサ部３０の光出射側に設けられた光拡散層４０で結像する。そのため、結像した映像光ではなく結像する前の映像光が静電センサ部３０を透過する。そして、静電センサ部３０の光出射側に設けられた光拡散層４０で結像した映像光は、水平方向および垂直方向に拡散され、透明パネル部５０を透過する。
【００５２】
これにより、静電センサ部３０の透明導電パターンの視認性の問題を抑えることができる。そのため、透明導電パターンの厚さや幅の制限を緩和することができ、静電センサ部３０の電極層のより一層の低抵抗化を図ることができる。そのため、本実施形態に係る入力装置１は、より一層の大画面に対応することができる。
【００５３】
また、光拡散層４０が静電センサ部３０のフィルムの表面の略全面にわたって設けられているため、光拡散層４０が静電センサ部３０の光出射側に設けられていない場合と比較して、静電センサ部３０の透明導電パターンの視認性の問題を低減することができる。
【００５４】
さらに、静電センサ部３０の光入射側には、フレネルレンズシート部１０および光制御シート部２０が設けられている。そのため、入力装置１の透過型スクリーンとしての光学特性を向上させることができる。
【００５５】
次に、本実施形態に係る入力装置１の具体例について、図面を参照しつつ説明する。
図３は、本実施形態の具体例に係る入力装置を例示する模式平面図である。
図３は、図１に表した矢印Ａ２に方向に入力装置をみたときの模式平面図に相当する。
【００５６】
本具体例に係る入力装置１は、光制御機能層５と、静電センサ部３０と、光拡散層４０と、透明パネル部５０と、加飾層６０と、を備える。光制御機能層５と、静電センサ部３０と、光拡散層４０と、透明パネル部５０と、は、光入射側（光源側）から光出射側（観察者側）へ向かって順次配列されている。
【００５７】
すなわち、静電センサ部３０は、光制御機能層５の光出射側に設けられている。光拡散層４０は、静電センサ部３０の光出射側に設けられている。透明パネル部５０は、光拡散層４０の光出射側に設けられている。
加飾層６０は、光拡散層４０の第１面４０ａに設けられている。光拡散層４０の第１面４０ａは、光出射側の主面であり、透明パネル部５０と接合される主面である。
【００５８】
光制御機能層５は、フレネルレンズシート部１０と、光制御シート部２０と、を有する。光制御機能層５は、オーバーコート層を有していてもよい。例えば、オーバーコート層は、光源から放出される紫外線を遮光し、フレネルレンズシート部１０および光制御シート部２０を保護する。
【００５９】
静電センサ部３０は、フィルム３１と、電極層３３と、を有する。フィルム３１は、透光性を有し、ポリエチレンテレフタレート（ＰＥＴ）等のフィルム状の透明基材である。フィルム３１は、曲面である第１面３１ａを有する。第１面３１ａは、例えば凸型の３次元曲面になっている。本具体例では、縦横いずれの方向においても第１面３１ａ側が凸型になるような３次元曲面になっている。
【００６０】
フィルム３１の第１面３１ａとは反対側には第２面３１ｂが位置している。フィルム３１は一様な厚さになっているため、第２面３１ｂも第１面３１ａと同様な３次元曲面になっている。なお、第１面３１ａおよび第２面３１ｂは２次元曲面や凹型など、他の形状であってもよい。
【００６１】
電極層３３は、フィルム３１の第１面３１ａおよびフィルムの第２面３１ｂの少なくともいずれかに設けられている。図３に表した具体例に係る入力装置１では、電極層３３は、フィルム３１の第２面３１ｂに設けられている。電極層３３には、透明導電性材料により形成された電極のパターン（透明導電パターン）が形成されている。電極層３３は透光性を有し、タッチセンサにおける検出電極の一つである。電極層３３には、ＩＴＯ（Indium Tin Oxide）、透光性の有機導電層、金属ナノワイヤなどが用いられる。
【００６２】
加飾層６０は、光拡散層４０の第１面４０ａのうちで検出領域ＶＡ以外の領域（被検出領域）ＮＡに設けられている。検出領域ＶＡは、センサを構成する領域である。被検出領域ＮＡは、検出領域ＶＡの周囲（外側）であり、額縁状の加飾領域である。加飾層６０は、遮光性を有し、検出領域ＶＡの外側に引き回される配線を覆う。検出領域ＶＡの外側に引き回される配線は、電極層３３と電気的に接続され、加飾層６０に覆われているため、透明パネル部５０の操作面５０ａの側から見ることはできない。
【００６３】
フレネルレンズシート部１０、光制御シート部２０、静電センサ部３０、光拡散層４０および透明パネル部５０のそれぞれの配置、材料および機能は、図１および図２に関して前述したフレネルレンズシート部１０、光制御シート部２０、静電センサ部３０、光拡散層４０および透明パネル部５０のそれぞれの配置、材料および機能と同様である。
【００６４】
本具体例によれば、加飾層６０が検出領域ＶＡの外側に引き回される配線を覆い隠すことができるとともに、図１および図２に関して前述した効果と同様の効果が得られる。
【００６５】
以上説明したように、本実施形態によれば、静電容量式センサの機能および透過型スクリーンの機能を有し、曲面を有するフィルム３１が設けられた入力装置１において、透明導電パターンの視認性の問題を抑えることができる入力装置１を提供することが可能になる。
【００６６】
なお、上記に本実施形態を説明したが、本発明はこれらの例に限定されるものではない。例えば、前述の各実施形態に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００６７】
１  入力装置
５  光制御機能層
１０  フレネルレンズシート部
２０  光制御シート部
３０  静電センサ部
３０ａ  第１面
３０ｂ  第２面
３１  フィルム
３１ａ  第１面
３１ｂ  第２面
３３  電極層
４０  光拡散層
４０ａ  第１面
５０  透明パネル部
５０ａ  操作面
６０  加飾層
ＶＡ  検出領域
ＮＡ  非検出領域
Ａ１  映像光の進行方向（矢印）
Ａ２  矢印
【図１】
0006513548.tif 000002
【図２】
0006513548.tif 000003
【図３】
0006513548.tif 000004